Podtech/llm-jp-corpus-v4-ja_patent huggingface dataset:
(57)【要約】      （修正有）【課題】身体に巻き付けやすい形状をしたベルトに、炭素繊維パッドとカイロ等の熱源を重ねて装着して身体に巻き、カイロ等の熱源により加温された炭素繊維パッドから発する温熱を有する遠赤外線により、免疫力を向上させて癌の治療及び癌の進行や転移を抑制する。【解決手段】身体に巻き付けやすい形状をしたベルト１に、カイロ等の熱源を入れるポケット状の袋３と、その外側に炭素繊維パッドを入れるポケット状の袋４を重ねて二重に設けて課題を解決する。【選択図】図２
0003130109.tif 000002
【実用新案登録請求の範囲】
【請求項１】
身体に巻き付けるように設計されたベルトの内側に、ポケット状の二重の袋を設け炭素繊維パッドとカイロ等の熱源を重ねて装着し、炭素繊維パッドを加温して発する遠赤外線による遠赤外線癌温熱療法ベルト。
【考案の詳細な説明】
【考案の開示】
【考案が解決しようとする課題】
【０００１】癌細胞は、約４２．５℃で３時間程度の加温によって死滅する特性がある。４２℃より低い温度であっても加温することは以下の効果がある。
▲１▼医学的にも体温が１℃上昇すると免疫力は６倍になる。
▲２▼加温により、血管の少ない癌細胞の血流が悪くなり、栄養不足となって死滅する。
▲３▼４１℃になると癌細胞の酵素濃度が低下し、癌細胞に乳酸が蓄積する。
▲４▼３９℃〜４０℃で癌細胞の遺伝子合成が停止する。
▲５▼加温によって、神経系からエンドルフィンが分泌され、免疫能力が高められる。温熱によって免疫系の働きが強化され、リンパ球などが癌細胞を攻撃するようになる。
以上のようなことから、癌細胞に加温することは、癌治療に大きな効果が期待できるが、安全で簡便な加温方法がなかった。
【課題を解決する為の手段】
【０００２】上記の課題を解決するために、炭素繊維を加温し、炭素繊維の発する加温された遠赤外線をもって治療する安全で軽便な遠赤外線癌温熱療法ベルトを考案した。
【考案の効果】
【０００３】炭素繊維を加温すると遠赤外線を発することは科学的に証明されている。
遠赤外線は水に浸透して熱を伝達する特性があって皮下深層部の温度を上昇させる作用がある。
本考案は、安全で簡便な方法により、温熱を有する遠赤外線により体温を上昇させるもので体温を上昇させることは、本考案が解決しようとする課題［０００１］に記載した癌治療効果があるとともに、免疫力の増強により癌の進行や転移を抑制と併せて、抗癌剤等の薬剤の投与を減少させることが可能となり、副作用を軽減して患者の苦痛をやわらげるとともに延命効果が期待できる。
本考案は、安全で簡便であることから、家庭において民間療法としも使用できる。
【考案を実施するための最良の形態】
【０００４】身体に巻き付けやすい形状をしたベルト（１）に、カイロ等の熱源を入れるポケット状の袋（３）と炭素繊維パッドを入れるポケット状の袋（４）を重ねて二重に設ける。
身体の接する方の袋（４）に炭素繊維を使用したパッドを入れ、その内側の袋（３）にカイロ等の熱源をいれ、（３）及び（４）を取り付けたベルトを身体に巻き付けて装着する。
【図面の簡単な説明】
【０００５】
【図１】遠赤外線癌温熱療法ベルトの図。
【図２】二重のポケット状の袋の図。
【図３】炭素繊維パッドの構成図。
【符合の説明】
【０００６】  （１）ベルト
（２）二重のポケット状の袋
（３）内側の袋
（４）外側の袋
（５）炭素繊維
（６）炭素繊維パッドの外側布
【図１】
0003130109.tif 000003
【図２】
0003130109.tif 000004
【図３】
0003130109.tif 000005
(57)【要約】      （修正有）【課題】仕上げる塗り壁の出隅及び入隅部分の角度に左右される事なく、幅広い任意の角度に対応する事ができ短時間の訓練で、出隅部分及び入隅部分のいかなる角度に対しても見栄えのする隅押さえ塗り作業が可能となる。作業時間が飛躍的に短縮でき、効率的な作業が出来る。特殊な加工工程がないので安価な製品化が可能となる。【解決手段】薄くて弾力性のある２枚の押さえ板３４および３５を適度な固さを有する接続材３６及び３７で連結することで、仕上げる壁の出隅部分及び入隅部分の多様な角度に柔軟に対応でき、初心者でも短時間の訓練で見栄えのする壁塗り作業を可能にする。また、自然な風合いに仕上げる塗り壁の出隅部分及び入隅部分の仕上げ作業に十分対応しうる左官用隅押さえ鏝が可能となる。【選択図】図６
0003130108.tif 000002
【実用新案登録請求の範囲】
【請求項１】
適度な厚みと弾性力を有する材料から成る平坦部材を用いた鏝板２枚のうち、１枚において、当該鏝板が壁に接触する面と反対側の面に、強固な材質から成る補強板を取り付け、当該補強板に柱脚及び柄から成る把持部材を固定し、かつ、当該２枚の鏝板を並列し、隣接する鏝板端縁部における壁接触面及び反対側の面の両面を適度な厚みと固さを有する接続材を用いて連結する構造を特徴とする、左官用隅押さえ鏝。
【考案の詳細な説明】
【技術分野】
【０００１】  本考案は壁塗り仕上げ作業の最終作業となる壁面の張り出したコーナー部分（以下、出隅部分）や入り組んだコーナー部分（以下、入隅部分）の仕上げについて壁の出隅部分あるいは入隅部分の多様な角度に応じてその都度角度を調整し、柔軟に対応しながら、しっかり押さえることが出来、なおかつ周辺の壁に意図しない押さえ傷や引き傷を作らないで仕上げることが出来る左官用角度可変式隅押さえ鏝を提供するものである。
【背景技術】
【０００２】  従来の壁塗り仕上げ作業用の左官用隅押さえ鏝は、角度が固定された上になおかつ押さえ板全面が強固に加工されていた。
【考案の開示】
【考案が解決しようとする課題】
【０００３】  従来の左官用鏝の隅押さえ鏝の押さえ板は図１の１３及び図２の２３ように等辺の形状で、さらに全体が金属など強度のある画一的な材質の物で形成され、その中央部を縦方向に特定の角度で折り曲げられ、固定加工されていた。したがって、１３及び２３の押さえ板は、仕上げる壁面の出隅及び入隅部分の角度に対して融通性がなく、その押さえ板の両端部で周辺の壁に意図しない傷をしばしばつけていた。
【課題を解決するための手段】
【０００４】  本考案の左官用角度可変式隅押さえ鏝は、図３及び図４に示すとおり押さえ板３４および３５の壁と接触する面及び反対側の面を接続材３６及び３７で連結し、押さえ板３４を補強板３３にて固定する加工を施すことで角度を任意に変えられる機能が実現する。
【考案の効果】
【０００５】  本考案の左官用角度可変式隅押さえ鏝の効果を図３及び図４において説明すると柄３１の下部に柱脚３２を固定してさらに、その先に適度な強度を持たせた補強板３３を固定する。
その補強板３３に押さえ板３４を固定し、もう一方の押さえ板３５を適度な固さを有する接続材３６及び３７で押さえ板３４と連結することにより、押さえ板３５は押さえ板の連結部３８を中心として自由に動くことが可能となり、押さえ板３４と３５が構成する角度を任意に調整することができる。【０００６】  上記理由から、本考案の左官用角度可変式隅押さえ鏝は、仕上げる塗り壁の出隅及び入隅部分の角度に左右される事なく、幅広い任意の角度に対応する事ができる効果がある。【０００７】  さらに、上記理由から短時間の訓練で、出隅部分及び入隅部分のいかなる角度に対しても見栄えのする隅押さえ塗り作業が可能となる。【０００８】  さらに、上記理由から作業時間が飛躍的に短縮でき、効率的な作業が出来る。【０００９】  さらに、当考案は実施するに当り、特殊な加工工程がないので安価な製品化が可能となる。
【考案を実施するための最良の形態】
【００１０】  図３及び図４のとおり、柄３１に柱脚３２を固定して、その先に補強板３３を固定する。その補強板３３に薄く、かつ弾力性のある材料を用いた押さえ板３４を固定し、もう一方の押さえ板３５を適度な固さを有する接続材３６及び３７を用いて押さえ板３４と連結する。
【実施例】
【００１１】  本考案の左官用角度可変式入隅押さえ鏝を図３及び図４において説明すると、柄３１に柱脚３２を固定し、その先に補強板３３、押さえ板３４を固定する。さらにもう一方の押さえ板３５を接続材３６及び３７を用いて押さえ板３４と連結する。
【図面の簡単な説明】
【００１２】
【図１】従来の左官用出隅押さえ鏝の断面図
【図２】従来の左官用入隅押さえ鏝の断面図
【図３】本考案の左官用角度可変式隅押さえ鏝の出隅部分対応時を示した断面図
【図４】本考案の左官用角度可変式隅押さえ鏝の入隅部分対応時を示した断面図
【図５】本考案の左官用角度可変式隅押さえ鏝の出隅部分対応時を示した斜視図
【図６】本考案の左官用角度可変式隅押さえ鏝の入隅部分対応時を示した斜視図
【符号の説明】
【００１３】  １１は従来の左官用出隅押さえ鏝の柄
１２は従来の左官用出隅押さえ鏝の柱脚
１３は従来の左官用出隅押さえ鏝の押さえ板
１３ａは従来の左官用出隅押さえ鏝の押さえ板左端部
１３ｂは従来の左官用出隅押さえ鏝の押さえ板右端部
２１は従来の左官用入隅押さえ鏝の柄
２２は従来の左官用入隅押さえ鏝の柱脚
２３は従来の左官用入隅押さえ鏝の押さえ板
２３ａは従来の左官用入隅押さえ鏝の押さえ板左端部
２３ｂは従来の左官用入隅押さえ鏝の押さえ板右端部
３１は本考案の左官用角度可変式隅押さえ鏝の柄
３２は本考案の左官用角度可変式隅押さえ鏝の柱脚
３３は本考案の左官用角度可変式隅押さえ鏝の補強板
３４は本考案の左官用角度可変式隅押さえ鏝の押さえ板
３５は本考案の左官用角度可変式隅押さえ鏝の押さえ板
３６は本考案の左官用角度可変式隅押さえ鏝の押さえ板接続材
３７は本考案の左官用角度可変式隅押さえ鏝の押さえ板接続材
３８は本考案の左官用角度可変式隅押さえ鏝の押さえ板連結部
【図１】
0003130108.tif 000003
【図２】
0003130108.tif 000004
【図３】
0003130108.tif 000005
【図４】
0003130108.tif 000006
【図５】
0003130108.tif 000007
【図６】
0003130108.tif 000008
(57)【要約】      （修正有）【課題】波板を使用するに当たってのフックボルト止め金具で作業がスムーズに、最良の状態で固定できる【解決手段】フックボルト４のネジ部を両面カット、その上には穴があいた円形状のパッキン３、更にその上部には凸部に合うように円盤状になっていてその中心部にはネジ部がカットされている所にはまるように長穴になっている笠２、その最上部には円盤状の金具を締め付けるナット１がはまるように構成されている。【選択図】図３
0003130102.tif 000002
【実用新案登録請求の範囲】
【請求項１】
フックボルトのネジ部を両面カットその上には穴があいた円形状のパッキン、更にその上部には凸部に合うように円盤状になっていてその中心部にはネジ部がカットされている所にはまるように長穴になっているその最上部には円盤状の金具を締め付けるナットがはまるようになっている仕組みで構成されている波板用笠回り止めフックボルト。
【考案の詳細な説明】
【技術の分野】
【０００１】建物の屋根や側面を波板で止めるためのフックボルトである
【背景技術】
【０００２】現在、使用されているフックボルトはネジ部や笠部は丸穴があいているだけで笠を波板の凸部に合わせるのが大変面倒でありこの器具の開発で常に最良の状態で波板を固定でき作業効率が向上した
【考案の開示】
【考案が解決しようとする課題】
【０００３】現在使用されている波板用フックボルトのネジは円柱状笠穴は円形なので締め付けるときに笠部を波板の凸部に合わせるのが面倒であった。
そこでネジ部の一部を両面カットし笠部の穴を円形から長穴に改良することがこの考案の解決する課題である
【課題を解決するための手段】
【０００４】誰にでも簡単に作業が出来るようネジの断面と笠部の穴の改良によってこの課題を解決した
【考案の効果】
【０００５】この効果は今までの製品と違って笠の回り止めが付いているので仕事がスムーズに出来る効果がある
【考案を実施するための最良形態】
【考案の形態】
【０００６】図３のようにフックボルトに笠がはめ込まれるためネジが締め付けられたときに均等に波板を張ることが出来る
【実施例】
【０００７】施工については現在は波板に合わせて笠の向きを変えなくとも自然に波板の凸部に密着するので扱いやすい
【図面の簡単な説明】
【０００８】
【図１】フックボルト上面から見た図面
【図２】笠部の図面
【図３】部品の分解図
【符号の説明】
【０００９】１．  ナット
２．  笠
３．  パッキン
４．  フックボルト
【図１】
0003130102.tif 000003
【図２】
0003130102.tif 000004
【図３】
0003130102.tif 000005
(57)【要約】      （修正有）【課題】冬期間の墓石本体を最良の状態で保存する事が出来る防雪カバーを提供する。【解決方法】カバー本体１を一体型にし、また墓石の形状に合わせる事により取付け時の上下左右が決まり、墓石全体に囲い易い形状を構成するものである。墓石の表記部分は透明ビニール２とし、裏面に縦全体をファスナーで開閉するようにする。【選択図】図１
0003130103.tif 000002
【実用新案登録請求の範囲】
【請求項１】
墓石の形状に合わせ、前面の一部は透明のビニールその他の面はテント地で加工し背面にファスナーを取付けた一体型の特徴の墓石防雪カバー。
【考案の詳細な説明】
【技術分野】
【０００１】この考案は、墓石を雪から保護する墓石防雪カバーに関するものである。
【背景技術】
【０００２】従来、雪に対しての対策は殆んど無く一部で墓石にブルーシートを取付ける方法が行われているのが一般的である。
【考案の開示】
【考案が解決しようとする課題】
【０００３】上記に記載された雪対策方法は、時間と手間を要し、また誰にでも出来る事ではありません。本発明は墓石全体をより簡単に雪害から守る事が出来る墓石カバーを提供することを目的とする。
【課題を解決するための手段】
【０００４】上記課題を解決するために、カバーを一体型にし、また墓石の形状に合わせる事により取付け時の上下左右が決まり、墓石全体に囲い易い形状を構成するものである。
【考案の効果】
【０００５】墓石が雪と直接触れる事が無い為、墓石自体または墓石間のコーキングの劣化を防ぐことで冬季間は墓石自体を保護する事ができる。
【考案を実施ための最良の形態】
【０００６】墓石カバーの形状を墓石の形に合わせ、背面にファスナーを取付けた一体型の状態で構成されるものである。
【図面の簡単な説明】
【０００７】
【図１】  取付け時の前面外観図である。
【図２】  取付け時の背面外観図である。
【符号の説明】
１    カバー本体
２    透明ビニール
３    ファスナー
【図１】
0003130103.tif 000003
【図２】
0003130103.tif 000004
(57)【要約】【課題】  従来、建具や家具あるいは配電盤など本体と、付設するドアとの開閉角度の上限は、本体とドアに取り付けた屈曲可能なドアアームの開閉角度が全開した状態としていた。従って、その開閉角度の調整は、取り付け部にスライド機構を別に必要れとし、その調整も面倒であった。本考案は、ドアアームの構造を単純化するとともに、本体とドアとの開閉角度の調整を簡便にすることを課題とする。【解決手段】  本体取付部に回動自在に取り付けたアームに、ドア取付具に回動自在に取り付けた円柱状の回動摺動具を摺動自在に設けたうえ、アームの末端にバネ状のストッパーを固設する。【選択図】図１
0003130117.tif 000002
【実用新案登録請求の範囲】
【請求項１】
本体取付部に回動自在に取り付けたアームに、ドア取付具に回動自在に取り付けた回動摺動具を摺動自在に設けたうえ、アームの末端にバネ状の嵌着具を固設したことを特徴とするドアアーム。
【考案の詳細な説明】
【技術分野】
【０００１】  本考案は、建具や家具、あるいは配電盤その他の開閉物などのドアに取り付ける、ストッパー付きアームに関する。
【背景技術】
【０００２】  従来は、左右に位置調整可能な本体取り付け部を必要とする、屈曲可能なアームにストッパーを設けた構造となっていた。
【考案の開示】
【考案が解決しようとする課題】
【０００３】  従来、建具や家具あるいは配電盤その他の開閉物など本体と、付設するドアとの開閉角度の上限は、本体とドアに取り付けた屈曲可能なドアアームの開閉角度が全開した状態で、ストッパーが働くようにしていた。従って、その開閉角度の調整は、本体に取り付け位置を左右に移動させることで行なう必要があった。そのため、取り付け部にスライド機構が必要で、その調整も面倒であった。本考案は、ドアアームの構造を単純化するとともに、本体とドアとの開閉角度の調整を簡便にすることを課題とする。
【課題を解決するための手段】
【０００４】  本体取付部に回動自在に取り付けたアームに、ドア取付具に回動自在に取り付けた円柱状の回動摺動具を摺動自在に設けたうえ、アームの末端にバネ状に嵌着するストッパーを固設する。
【考案の効果】
【０００５】  本考案の効果について説明すると、先ず、本体とドアとの開閉角度が、丸棒状のアームを摺動自在に移動する、ドア取り付け具に回動自在に取り付けた円柱状の回動摺動具によって行なわれるため、従来の屈曲するドアアームより構造が単純化され、動きもスムーズで耐久性も良くなった。【０００６】  また、ドアの開きは、その末端に設けたバネ状に嵌着するストッパーによって、柔らかく受け止められ軽く保持される。【０００７】  次に、ドアアームの取り付けは、図示のように、本体の所定個所に本体取付板を鉛直状態に配置し、水平方向から螺着するため、取り付けが簡単となった。また、ドアの開閉角度の調整は、アーム自体に設けたナット５の螺子回転による伸縮機構によって容易に可能である。従来品は、一般に、本体の水平部分となっている裏面に取り付けることを想定されており、下方向より上向きに螺着する必要があった。また、ドアの開閉角度の調整は、その取り付け位置を左右にスライドさせるため、取り付けのための付属品も必要であり、構造的に複雑で取り付けや調整が面倒であった。
【考案を実施するための最良の形態】
【０００８】  本考案を実施するための最良の形態について、図１によって説明する。【０００９】  取付穴１を設けた本体取付板２に回動軸受け３を直立して固設し、回動軸受け３による回動によって、伸縮可能な棒状のアーム４を、水平方向に回動可能に取り付ける。尚、アーム４の伸縮は、図示のように、ナット５の螺子回転によって行なう。【００１０】  取付穴１を設けたドア取付具６に、回動可能な円柱状の回動摺動具７を取り付ける。回動摺動具７には、摺動穴８を設け、アーム４を通して摺動自在に移動を可能にする。そして、アーム４のの末端には、回動摺動具７をバネ状に嵌着するストッパー９を固設する。
【図面の簡単な説明】
【００１１】
【図１】  本考案の実施例を示す斜視図。
【図２】  従来品の一例を示す斜視図。
【符号の説明】
【００１２】  １  取付穴
２  本体取付板
３  回動軸受け
４  アーム
５  ナット
６  ドア取付具
７  回動軸
８  摺動穴
９  ストッパー
【図１】
0003130117.tif 000003
【図２】
0003130117.tif 000004
(57)【要約】【課題】  故人を偲び遺骨の一部を身近に置きたいという願望が強まってきているが、遺骨を骨壺に入れて身近な所で安置保存することは難しい問題も起こってくる。故人や先祖に対する偲ぶ気持ちと追善供養が意義深いものにできる位牌。【解決手段】  位牌（１）の正面に遺骨を収納できる容器（２）を設け、その容器（２）の空間（３）に遺骨の一部を収納することを特徴とする位牌である。【選択図】図１
0003130115.tif 000002
【実用新案登録請求の範囲】
【請求項１】
本考案は位牌に関するものであり、位牌（１）の正面の目視できる場所に遺骨を収納できる空間（３）を有する容器（２）を設け、その空間（３）に故人の火葬後の遺骨を収納する遺骨収納位牌。
【考案の詳細な説明】
【技術分野】
【０００１】  本考案は、位牌の正面に遺骨を収納できる空間を有する容器を設け、その容器に故人の遺骨を収納できるようにした遺骨収納位牌に関する。
【従来の方法】
【０００２】  位牌（１）の構成は大きく分けると上部（７）と下部及び台座（８）の二つに分けられる。一般的には上部の正面（５）に戒名を彫り上部の背面（６）には俗名、没年月日や享年（享年とは亡くなった年齢であるが宗派によっては行年とする場合もある）を彫ったりしているが、その方式は仏教各宗派及び地方の慣習等により方式が異なっていることもある。
【０００３】  位牌は主に仏壇内に安置して使用している場合がほとんどである。
【０００４】  最近の日本において、故人の遺体は土葬で葬られることは少なくなり、火葬に変わってきた。故人の遺体は火葬にしたのち骨壺に遺骨を入れて持ち帰り一定期間後に墓のカロート部などへ納骨したり、寺院に納骨するのが一般的である。
【０００５】  最近では海に散骨したり、山に散骨したり、墓石の代わりに樹木を墓碑とするなど、様々な方法で埋葬が行われるようになってきた。そうした方法が行われるようになったのは次にあげるような事情やその他いろいろな問題が背景にある。
【０００６】（イ）世界的にも地価の高い日本で墓を購入することを望むことが経済的に大変になってきた。
（ロ）他家より嫁いできた妻が夫の先祖が埋葬されている先祖代々の墓には入りたくないという女性が増えてきた。
（ハ）少子化や核家族化が進んできたため、一人娘の場合、他家に嫁いでしまえば自分たちの墓をいつまでも守ってくれることを期待することは難しくなってきた。
（ニ）同様に、一人息子で遠くの方で就職をしてしまい故郷には帰って来れなくなってしまい、自分たちの墓を守ってもらうことに親として負担をかけたくないと考える人が増えてきた。
（ホ）死んだら夫婦二人だけの墓に入りたいとか自分一人だけの墓に入りたいと願う人が増えてきた。
【考案が解決しようとする課題】
【０００７】  そういう時代背景の中で墓を拒否したり、人が亡くなった後の安住の地が必ずしも墓でなければならないのかと言う疑問もおこってきた。そして、いくつかの問題が重なりあい、遺骨が入った骨壺を身近なところに安置したり、散骨という方法ををったりする人が増加してきたと考えられる。
【０００８】  残された家族にとって遺骨の入った骨壺を家の中、仏間あるいは仏壇等の身近なところで安置する事は、故人や先祖に対する追善供養の気持ちが一層強まる事になるが新たな問題もおこってくる。遺骨の入った骨壺は家族にとっては唯一無二の大事なものでも家族以外の他人にとっては異様な物であり、不快に感じる人もいる。その為に、遺骨と位牌を一つのものにする事を課題にした。
【０００９】  遺骨を位牌の内部に納める文献を提示する。
【特許文献１】  実開平６−６１１８４「骨粉容器を内蔵した位牌」
【特許文献２】  特開平１１−１０４００８号「位牌」
【特許文献３】  実用新案登録第３０８３０９３号「位牌」
【課題を解決するための考案】
【００１０】  本考案は位牌（１）の正面の目視できる場所に遺骨を収納できる容器（２）を設ける。容器（２）には空間（３）があり遺骨を収納保存することにより位牌と遺骨を一体のものにする。その結果、見た目も崇高な遺骨収納位牌を提供する。
【考案を実施するための形態】
【００１１】  文献の遺骨収納方法は位牌の内部に遺骨の収納部分を設けていることに特徴がある。その為には位牌内部に骨壺を入れる場所を設けなければならないので形状が大きくなりやすい。且つ、複雑な形状になることも考えられる。本考案は位牌の外部に遺骨を収納する容器を設けて遺骨を収納する方法のため、古来から広く使用されている位牌をそのまま使用できるのが特徴である。
【００１２】  我が国には釈迦如来、大日如来、阿弥陀如来のような如来像をはじめ菩薩像、明王像、天部像等の仏像が多数存在する。仏像の大部分には鼻の上方のひたいの中心に白毫（びゃくごうと読みます）という突起物がついています。この白毫は仏の慈悲の光りを表わし無量の国を照らすと言われていて仏像の特徴の一つになっています。
【００１３】  本考案の位牌は仏像をイメージできるように位牌の正面に遺骨を収納できる容器を設けた。その結果、遺骨を収納する容器はあたかも仏像の特徴の一つでもある白毫を思い起こすことができた。
【００１４】  位牌の素材については古来から使われている位牌を使用することは前にも述べたが、遺骨を収納する容器としてはプラチナ、金、銀等の貴金属やその他の金属、七宝焼、真珠、ガラス、陶器、木片等の素材をもちいて製作しても良いが、仏壇には金箔等が多用されている場合も多く荘厳な感じがする。その為、位牌を仏壇に安置するにはバランスを考慮すると金、プラチナ、銀等の貴金属や七宝焼などの素材が最良の形態である。
【考案の効果】
【００１５】  よって、本考案の遺骨収納位牌を仏壇等に安置することにより遺骨を身近なところに安置できるし、骨壺を身近なところに安置保存する必要がなくなった。また、骨壺が他人の目に入り異様で不快な感じを与えるという問題も解決できるのである。そして、故人をいつも身近に感じる事が出来るし家族が故人を偲ぶ気持ちも一層高くなり、先祖や故人に対する日々の追善供養がより意義深いものになるのである。
【図面の簡単な説明】
【００１６】
【図１】  本考案に係わる正面図である。
【図２】  本考案に係わる側面図である。
【符号の説明】
【００１７】      １  位牌本体
２  遺骨を収納できる容器
３  遺骨を収納できる空間
４  位牌の上部正面に書かれている戒名の一例
５  位牌の上部正面
６  位牌の上部背面
７  位牌の上部
８  位牌の下部及び台座
【図１】
0003130115.tif 000003
【図２】
0003130115.tif 000004
(57)【要約】      （修正有）【課題】苔玉盆栽を室内に飾る際に、底部が球形状を呈する苔玉が傾いたり、転がったりすることのない、いつまでも安定して載置しておくことのできる窪みのある受け皿を提供する。【解決手段】瓦の表面または裏面に球形状を呈する苔玉盆栽４の底部に合致する円形状の窪みを形成した苔玉盆栽用陶器製瓦形受け皿であり、瓦の表面に形成する窪みが、球形状を呈する苔玉盆栽の底部に合致する円形状の刳りぬき穴であることを特徴とする。【選択図】図１
0003130111.tif 000002
【実用新案登録請求の範囲】
【請求項１】
瓦の表面または裏面に窪みを形成したことを特徴とする苔玉盆栽用陶器製瓦形受け皿。
【請求項２】
前記窪みは、球形状を呈する苔玉盆栽の底部に合致する円形状の刳りぬき穴であることを特徴とする請求項１に記載の苔玉盆栽用陶器製瓦形受け皿。
【考案の詳細な説明】
【技術分野】
【０００１】  この考案は、苔玉盆栽を室内に飾る際に使用する陶器製瓦形受け皿に関するものである。
【背景技術】
【０００２】  近年、苔玉が盆栽愛好家のみならず、園芸を趣味とする人たちの間で人気を博している。そして、苔玉盆栽は一般に表面が平らな、あるいはやや丸みを帯びた形状の陶磁器製の器を受け皿に用いて、その上に載せて室内に飾られている。
【考案の開示】
【考案が解決しようとする課題】
【０００３】  しかしながら、上記のような受け皿では、苔玉盆栽の底部が球状であるためすわりが悪くて不安定である。特に、苔玉が堅く底部が突起している場合には、傾いたり、転んでしまうことがあり、飾りにくかった。【０００４】  この考案は、上記に鑑みて苔玉盆栽を安定して飾ることのできる陶器製瓦形受け皿を提供するものである。
【課題を解決するための手段】
【０００５】  請求項１に記載の考案は、瓦の表面または裏面に窪みを形成した苔玉盆栽用陶器製瓦形受け皿を特徴とするものである。【０００６】  請求項２に記載の考案は、上記請求項１に記載の考案において、瓦の表面に形成する窪みが、球形状を呈する苔玉盆栽の底部に合致する円形状の刳りぬき穴であることを特徴とするものである。
【考案の効果】
【０００７】
【０００８】  上記請求項に記載したこの考案の苔玉盆栽用受け皿によれば、陶器製瓦の表面または裏面の任意の位置に窪みが形成されているので、その窪みに苔玉盆栽を載せることによって苔玉盆栽が全く傾くことなく、安定して何時までも飾ることができる。
【考案を実施するための最良の形態】
【０００９】  以下、この考案について、その一実施例を示す図に基づいて詳細に説明する。【００１０】  図１は、陶器製桟瓦Ａの表面に窪み２を設けたものである。この窪み２は、図２に図１のＸ−Ｘ線断面図として示すような丸みを帯びた凹状に形成されている。４はこの窪み２に載置した植物の苔玉盆栽である。【００１１】  上記した図１、図２に示す窪み２は、受け皿として用いる陶器製瓦の製造時における焼成前あるいは焼成後のどちらにおいても形成することができる。【００１２】  即ち、焼成前の瓦に窪みを形成する場合には、金型プレス、石膏鋳込み型などの瓦形状の型の任意の場所に予め所望する窪みに対応する凸形状を付けておき、この型で成型するならば瓦の成型と同時に窪みをも形成することができる。【００１３】  また、金型プレスや石膏型などで瓦形状に成型したものについては、成型後にヘラなどを用いて刳りぬくことによって窪みを形成することができる。【００１４】  焼成後の瓦に窪みを形成する場合には、サンドブラスト切削機やグラインダー等の電動工具を用いて切削によって窪みを形成することができる。【００１５】  図３乃至図６は、桟瓦以外の各種陶器製瓦の表面あるいは裏面に窪み２を形成した他の実施例を示すものであって、図３は巴瓦Ｂの瓦当６の裏面６′に窪み２を形成したもの、図４は平瓦Ｃの表面に、図５は丸瓦Ｄの裏面に、図６は磚瓦Ｅの表面にそれぞれ窪み２を形成したものである。
【図面の簡単な説明】
【００１６】
【図１】  桟瓦の表面にこの考案になる窪みを形成した瓦形受け皿に苔玉盆栽を載置した一例を示す斜視図である。
【図２】  図１のＸ−Ｘ線断面図である。
【図３】  巴瓦の瓦当裏面に窪みを形成してなる瓦形受け皿の斜視図である。
【図４】  平瓦の表面に窪みを形成してなる瓦形受け皿の斜視図である。
【図５】  丸瓦の裏面に窪みを形成してなる瓦形受け皿の斜視図である。
【図６】  磚瓦の表面に窪みを形成してなる瓦形受け皿の斜視図である。
【符号の説明】
【００１７】    ２  窪み
４  苔玉盆栽
６  巴瓦の瓦当
Ａ  桟瓦
Ｂ  巴瓦
Ｃ  平瓦
Ｄ  丸瓦
Ｅ  磚瓦
【図１】
0003130111.tif 000003
【図２】
0003130111.tif 000004
【図３】
0003130111.tif 000005
【図４】
0003130111.tif 000006
【図５】
0003130111.tif 000007
【図６】
0003130111.tif 000008
(57)【要約】【課題】材質を水溶性としたティッシュペーパーとすることで、水に曝された状態での分解、散逸を促進し、自然回帰性ならびに浄化などの後処理を容易にし、環境美化及び保全の維持向上に貢献する携帯、携行容易なティッシュペーパーを提供する。【解決手段】寸法はポケットサイズ、ノートサイズあるいはボックスサイズで携帯、携行を容易とし且つ、材質を水溶性紙としたティッシュペーパーを、重ね折り、つづら折り、ミシン目入りなどの任意の形状に折り込んで構成されていることを特徴とする。【選択図】図１
0003130121.tif 000002
【実用新案登録請求の範囲】
【請求項１】
ポケットサイズ、ノートサイズまたはボックスサイズの携帯及び携行容易な寸法であるケースまたはカバーフィルム内に任意の形状に折り込まれ、材質が水溶性であることを特徴とするティッシュペーパー。
【考案の詳細な説明】
【技術分野】
【０００１】この考案は、雨水等の水溶液による分解及び散逸が容易で、且つ携帯・携行に便利な環境に配慮したティッシュペーパー関するものである。
【背景技術】
【０００２】トイレットペーパーを除く従来のティッシュペーパーは、使用目的から品質特性の一つとして水溶液による分解、散逸を抑制した材質によって構成されていた。
【考案の開示】
【考案が解決しようとする課題】
【０００３】上記したように、従来のトイレットペーパーを除いた所謂ティッシュペーパーは、便器での水に曝されても分解あるいは散逸しないことから、浄化などの後処理上トイレでの使用が抑制されている事は周知の通りである。この性質を有するがため、昨今のレジャーの多様化によるアウトドアスポーツ例えば登山、ハイキング、キャンプなどへの愛好者の増加あるいは行楽シーズン時の観光地での車の渋滞などに伴い、生理現象からやむを得ず山野などの屋外あるいは簡易トイレ等でティッシュペーパーを使用される機会が増え、この結果当然のことながら放置されると長期間に亘り自然回帰すること無く、著しく美観を損ねる結果となるか、浄化などの後処理をする上で幾多の困難な問題を引き起こすこととなる。この現象は衆目の視る処であり、最近のトピックスでは富士山の世界遺産登録申請が、異物などの散乱による環境汚染から見送られた経緯からも由々しき状況下にあることは明らかである。以上の事由に鑑み、問題解決の一つの施策として本案を考案したものであり、詳細について説明する。従来のティッシュペーパーには水溶液による分解、散逸する機能が具備されてないがため、必然的に自然回帰性に劣る欠点があり、結果として環境の美化、保全に悪影響を及ぼす一原因ともなっていた。本考案は、以上のような欠点を解消するためのティッシュペーパーの提供に関するものである。
【課題を解決するための手段】
【０００４】ポケットサイズ、ノートサイズまたはボックスサイズなどの携帯・携行性に便利なティッシュケースまたはカバーフィルム（１）内に任意の形状に折り込まれた水溶性のティッシュペーパー（２）から構成されたティッシュペーパーである。
【考案の効果】
【０００５】この考案は水溶性のトイレットペーパーと同等の材質を使用し、かつ携帯用サイズとしたことで、従来の難水溶性のティッシュペーパーとは全く性質を逆にし、雨水などの水溶液での分解および散逸性を高め、用済み後の自然回帰力及び後処理を容易にし、環境の美化、保全への社会的取り組みに貢献できる新規な効果を有するものである。
【考案を実施するための最良の形態】
【０００６】本考案を実施するための最良の形態について説明する。携帯に便利なティッシュケースまたはカバー（１）内に任意な形状に折り込んだ水溶性テッシュペーパー（２）を内蔵した構成である。本考案による実施例を説明すると、市販品である幅１０５ｍｍのトイレットペーパー（水溶性ティッシュペーパー代替品）である（２）は引き出し易く重ね折りとし、従来品と同様に使用するようにした。また、従来品種（３）と本考案の水溶性ティッシュペーパー（２）による水道水浸漬による分解及び散逸効果の相違を常温・常圧の基に簡易的に検証した結果は、従来品（３）では１ケ月月経過時点でも何らの変化も認められないが、（２）では１日経過時点で完全に分解、散逸していることが確認でき、本考案品の環境美化、保全に対する効果の妥当性が確認できた。
【図面の簡単な説明】
【０００７】
【図１】本考案の斜視図である。
【図２】本考案の水溶性ティッシュペーパーに関する妥当性確認の模式図である。
【図３】従来の非水溶性ティッシュペーパーに関する妥当性確認の模式図である。
【符号の説明】
【０００８】１    ティッシュケースまたはカバーフィルム２    水溶性ティッシュペーパー３    従来の非水溶性ティッシュペーパー４    ビーカー５    水道水
【図１】
0003130121.tif 000003
【図２】
0003130121.tif 000004
【図３】
0003130121.tif 000005
(57)【要約】【課題】カメラ付き携帯電話本体に外部レンズ機能を設けて、当携帯電話の内蔵レンズとは別方向の映像確認を可能にする。【解決手段】カメラ付き携帯電話本体に設けた外部レンズ機能の接続端子に、当外部レンズをケーブルで接続し、当携帯電話の内蔵レンズとは別方向に向けて設定する事で、その映像を手元本体ディスプレーで確認する事が可能となり様子見や監視などの安全面で役立つ。【選択図】図１
0003130123.tif 000002
【実用新案登録請求の範囲】
【請求項１】
カメラ付き携帯電話に外部レンズ機能として、外部レンズの接続端子と当外部レンズの接続により当携帯電話の内蔵レンズとの接続が切り替わるシステムを設けたもので、当外部レンズの脱着を自在にして、本体内臓レンズとは別方向の映像確認を可能にした外部レンズ機能付き携帯電話。
【考案の詳細な説明】
【技術分野】
【０００１】  本考案は、カメラ付き携帯電話本体に外部レンズ機能を設けた携帯電話に関するものである。
【背景技術】
【０００２】  通常、カメラ付き携帯電話のレンズは当本体ディスプレーと一体のため、当本体内蔵レンズが位置する映像しか見る事は不可能である。
【考案の開示】
【考案が解決しようとする課題】
【０００３】  カメラ付き携帯電話のカメラ機能では、当本体レンズが写す映像しか見る事はできないが、その位置で別方向の映像を当本体ディスプレーで見るために、当本体レンズとは別の外部レンズを設けて解決しようとするものである。
【課題を解決するための手段】
【０００４】  本考案は、カメラ付き携帯電話本体に外部レンズの接続端子を設けて、外部レンズをケーブルで接続する事により当本体内蔵レンズとの接続が切り替わり前述の問題を解決している。
【考案の効果】
【０００５】  上述の様に、カメラ付き携帯電話のカメラモード時に外部レンズが接続されると、当本体内蔵レンズとの接続が切り替わり当外部レンズの別方向に向けた映像を見る事ができる。従って、戸外などで当外部レンズを後方に向けて設定する事で、前方に向いた状態で後方の様子を手元の本体ディスプレーで確認する事が可能となり、後方の監視または必要に応じてその映像を撮影する事も可能であり安全面で役立つ。
【考案を実施するための最良の形態】
【０００６】  外部レンズを、カメラ付き携帯電話の本体に設けた接続端子に接続し、自分では見えない後方などの任意方向に向けてクリップで固定し、当携帯電話をカメラモードにする事で第二の目としてその方向の映像を手元の本体ディスプレーで確認する事ができる。
【実施例】
【０００７】  以下、添付図面に従って一実施例を説明する。１は外部レンズ機能付き携帯電話のディスプレー、２は外部レンズを接続する端子、３は外部レンズケーブルのコネクタ、４は外部レンズのケーブル、５は外部レンズ、６は外部レンズを固定するクリップ。【０００８】  本考案の一実施例は上述の如き構成からなるものであるから、外部レンズケーブルのコネクタ３を携帯電話本体に設けた接続端子２に差し込み、当外部レンズ５を任意の方向に設定する事と、当携帯電話本体の設定をカメラモードにする事でその方向の映像の確認が可能となる。
【図面の簡単な説明】
【０００９】
【図１】本考案の外部レンズを含む、外部レンズ機能付き携帯電話の斜視図である。
【符号の説明】
【００１０】  １  ディスプレー
２  接続端子
３  コネクタ
４  ケーブル
５  外部レンズ
６  クリップ
【図１】
0003130123.tif 000003
(57)【要約】【課題】靴を履くときに使う靴べらを靴べらを使うときに固定場所から簡単に取ることができ、靴べらを使い終わったときに簡単に固定場所に固定できるようにする。【解決手段】靴べらをドアー、壁面、柱、靴箱に取り付けるために靴べらに磁石を取り付け、スチール製のドアーに靴べらに取り付けた磁石の磁力で靴べらを固定できるようにする。また、磁力の効かない壁面、柱、靴箱に磁石付き靴べらを固定できるようにするために、スチール製の板の裏に粘着テープを貼り付けたスチール板を設け、靴べらを固定したい場所である壁面、柱、靴箱等にスチール板の裏に貼り付けた粘着テープでスチール板を貼り付け、スチール板に靴べらに取り付けた磁石の磁力にて靴べらを固定できるようにする。【選択図】図１
0003130122.tif 000002
【実用新案登録請求の範囲】
【請求項１】
靴べらをドアー、壁面、柱、靴箱に磁力で固定するために、靴べらに磁石を取り付けたことを特徴とする磁石付き靴べら。
【考案の詳細な説明】
【考案の詳細な説明】
【技術分野】
【０００１】  この考案は、靴べらにかかるものであり、靴を履くときに使う靴べらを靴べらを使うときに固定場所から簡単に取ることができ、使い終わったときに靴べらを固定場所に簡単に戻せるようにした磁石付き靴べらに関するものである。
【背景技術】
【０００２】  周知のように、従来、一般的な靴べらは、靴べらの一端に紐を結んでつくった輪を取り付、壁面等に取り付けたフックに靴べらの一端に紐を結んでつくった輪を引っかけて使用するもの、又は靴べらを立てておくためのスタンドを設け床の上に置くものがある。【０００３】  この従来の靴べらは、靴べらに取り付けられた紐の輪を引っかけるためのフックを壁面等に取り付ける必要があり手間がかかり見た目の体裁が良くない、またスタンドに靴べらを立てるタイプはコストが高くなる。
【考案が解決しようとする課題】
【０００４】  そこで、この考案は上記する従来の靴べらに見られる問題点を解消しようとするものであり、靴べらの使用時の固定場所からの簡単な取り外し、使用後の靴べらを固定場所への固定を簡単にできるようにし、さらに低価額にて提供することにある。
【課題を解決するための手段】
【０００５】  この考案は、上記する目的を達成するにあたって、具体的には靴べらをスチール製のドアーに固定できるように靴べらに磁石を取り付け、スチール製のドアーに靴べらに取り付けた磁石の磁力で靴べらを固定できるようにする。
【０００６】  さらに具体的には、磁力の効かない壁面、柱、靴箱に磁石付き靴べらを固定できるようにするために、スチール製の板の裏に粘着テープを貼り付けたスチール板を設け、靴べらを固定したい場所である壁面、柱、靴箱等にスチール板に貼り付けた粘着テープでスチール板を貼り付け、スチール板を貼り付けた壁面、柱、靴箱等に靴べらに取り付けた磁石の磁力にて靴べらを固定できるようにする。
【考案を実施するための最良の形態】
【０００７】  以下、この考案に成る磁石付き靴べらについて、図面に示す具体的な実施例にもとづいて詳細に説明する。
図１は、この考案にかかる磁石付き靴べらの具体的な実施例を示すものであって、実施例を概略的な正面図を示すものであり、図２は磁石付き靴べらの具体的な実施例を示すものであって、実施例を概略的な側面の断面図を示すものである。図３は粘着テープを貼り付けたスチール板を壁面に取り付け、スチール板に磁石付き靴べらを固定した状態を示す側面の断面図である。図４はスチール板の裏に粘着テープを貼り付けた状態を示す背面図である。【０００８】  図１及び図２に示す具体的な実施例において、この考案になる磁石付き靴べらは、靴べら本体１に磁石２を取り付け構成されている。【０００９】  さらに、この考案において靴べらは固定場所に磁力により固定するが、固定場所から靴べらを取り外すときに、取り外しやすく持ちやすくするために靴べら本体に取っ手３を構成した実施例の一例である。【００１０】  図３に示す具体的な実施例において、この考案になる磁石付き靴べらは磁力の効かない壁面、柱、靴箱に磁石付き靴べらを固定できるようにするために、スチール製の板の裏に粘着テープ５を貼り付けたスチール板４を設け、靴べらを固定したい場所である壁面、柱、靴箱等にスチール板に貼り付けた粘着テープでスチール板を貼り付け、スチール板を貼り付けた壁面、柱、靴箱等に磁石付き靴べらを磁力にて固定できるようにした実施例の一例である。【００１１】  図４に示すスチール板は、この考案になる磁石付き靴べらを壁面、柱、靴箱に固定する場合に、靴べらを固定したい場所にスチール板をスチール板の裏に貼り付けてある粘着テープで壁面、柱、靴箱等に貼り付け、磁石付き靴べらを固定できるように構成する。
【考案の効果】
【００１２】  以上の構成になるこの考案の磁石付き靴べらは、従来の靴べらの問題点を解消するものであり、特に靴べらを使用した後の靴べらを固定場所のスチールドアーに戻す場合に磁力を利用するので簡単にスチールドアーに固定することができる。
【００１３】  さらに、この考案の磁石付き靴べらは、磁力の効かない壁面、柱、靴箱等に靴べらを固定する場合は、スチール板の裏に粘着テープを貼り付けてあるスチール板を靴べらを固定したい壁面、柱、靴箱等の場所に簡単に貼り付けることができ、スチール板を貼り付けた壁面、柱、靴箱等に磁石付き靴べらを磁力で固定することができる。
【図面の簡単な説明】
【図１】  図１はこの考案にかかる磁石付き靴べらの具体的な実施例を示す概略的な正面図である。
【図２】  図２はこの考案にかかる磁石付き靴べらの具体的な実施例を示す概略的な側面の断面図である。
【図３】  図３はこの考案にかかる磁石付き靴べらを、壁面にスチール板を貼り付けて磁石付き靴べらを固定した状態を示す概略的な側面の断面図である。
【図４】  図４はこの考案にかかる磁石付き靴べらを、壁面等に固定するために壁面等に貼り付けるスチール板を示す概略的な背面図である。
【符号の説明】
１  靴べら
２  磁石
３  取っ手
４  スチール板
５  粘着テープ
【図１】
0003130122.tif 000003
【図２】
0003130122.tif 000004
【図３】
0003130122.tif 000005
【図４】
0003130122.tif 000006
(57)【要約】【課題】厚紙封筒を、厚みのある物品の梱包にも利用可能なように、封筒を箱と同様の形状に見た目にも美しく形成することを、容易にかつ短時間にできる封筒成形ツールを提供する。【解決手段】２つの対になる辺に曲線状の折り曲げ角を設けることで、容易に立体構造をつくりあげることが可能となる。曲線状の折り曲げ行うために、封筒成形ツールを用いて折り曲げ箇所にあらかじめ筋押しを設けることで容易に折り曲げることができる【選択図】図１
0003130133.tif 000002
【実用新案登録請求の範囲】
【請求項１】
断面が頂点を上にした三角形の棒状の樹脂を、筋押しが必要な形状に成形し、これを１mm程度の厚みであり、長さが封筒内寸と同程度の、角にＲを設けた樹脂板等に貼り付けた、筋押し用の封筒成形ツール。
【請求項２】
筋押が必要な形状に成形され、断面が頂点を上にした三角形の棒状の樹脂を樹脂板の裏面にも貼り付けた請求項１記載の封筒成形ツール。
【考案の詳細な説明】
【技術分野】
【０００１】
本考案は輸送等に使用する封筒体を立体化する器具に関する。
【背景技術】
【０００２】
厚みのある物品を郵送する手段としては、ダンボール箱等の立方体を利用することが一般的であるが、比較的大きな物品には有効的であるが、小さめの物品の場合はダンボール箱を利用するまでもない場合があり、この場合郵便局や宅配業者等がサービスで提供している厚紙でできた封筒（以下厚紙封筒と呼ぶ）を利用することが有益である。
ただし、これらの厚紙封筒は、書類等の紙類を輸送することを前提に設計されており、厚みのある物品等を封入すると、封筒体の形状が歪み、スペース効率が悪く、開口部を封鎖する際も手間と時間がかかる上に、全体的に見栄えが悪くなる等の欠点がある。
【考案の開示】
【考案が解決しようとする課題】
【０００３】
この厚紙封筒を、厚みのある物品の梱包にも利用可能なように、封筒を箱と同様の形状に見た目にも美しく形成することを、容易にかつ短時間にできる方法が提供できれば利用の機会が増大する。２枚の平板状の厚紙を張り合わせた構造を持つ封筒を、立体的形状に変えるためには厚さ方向への形状をどう確保するかにある。
以下その手段について記載する。
【課題を解決するための手段】
【０００４】
封筒を立体構造にするためには、角を９０度にそろえた立方体は不可能である。従って、２つの対になる辺に曲線状の折り曲げ角を設けることで、容易に立体構造をつくりあげることが可能となる。
【０００５】
更に、曲線状の折り曲げ行うためには、折り曲げ箇所にあらかじめ筋押しを設けることで容易に折り曲げることができる。
【０００６】
たとえば断面が、頂点を上にした三角形の棒状の樹脂を、筋押しが必要な形状に成形し、これを１mm程度の厚みをもち、図１（ａ）の寸法が封筒内寸と同じ長さの樹脂板等に貼り付け、筋押し用の封筒成形ツールを作成する。この樹脂板の厚みは、封筒への入れ易さ及び封筒の角まで隙間なく挿入するために、１mm程度が望ましい。この封筒成形ツールを封筒に差し込み、棒状樹脂の三角形の頂点部にあたる部分を指等で押し付けることで、封筒に曲線状の折筋を形成できる。このとき樹脂板の角にＲを設けることで、封筒へ差し込み易くなる。
同様に裏面にも折筋をつけ、対となる辺にも同様に両面に折筋を設ける。
封筒成形ツールを抜き取り、折筋を封筒の内部に向けて折り曲げると、立体形状が完成する。
【０００７】
棒状樹脂の図１（ｂ）寸法を大きく取ると、厚みの大きい立体形状となり、逆に小さくすると薄い立体形状となり、図１（ｂ）寸法を変化させることで、立体形の厚みを変えることが可能となる。
棒状樹脂を樹脂板の両面に取り付けることで、両面同時に折筋をつけることもできる。
【考案の効果】
【０００８】
この封筒成形ツールを使用して折筋をつけた厚紙封筒は、厚みのある内容物を容易に封入でき、封筒体の歪み、破損も無くなり、封入・開口部の封鎖作業効率も向上し、外観上も美化する。
【考案を実施するための最良の形態】
【０００９】
厚紙封筒のように、紙厚がある程度確保された封筒において、本考案は有効的に作用する。
【実施例】
【００１０】
小包等の郵送用に提供されている厚紙封筒「エクスパック」（郵便局扱い）等を、本考案の封筒成形ツールにて立体化する事で厚みを有する物品も容易に封入することができる。
【産業上の利用可能性】
【００１１】
本考案の封筒成形ツールは、郵送用の封筒のみならず、物品を包装するための包装用封筒にも利用することができる。
【図面の簡単な説明】
【００１２】
【図１】本考案にかかる封筒成形ツール図である。
【図２】本考案にかかる封筒成形ツールの使用図である。
【図３】本考案にかかる封筒成形ツール使用後の完成外形図である。
【符号の説明】
【００１３】
１  断面が三角形の樹脂棒
２  樹脂板
３  成形ツール
４  封筒
５  立体形に成形された封筒
【図１】
0003130133.tif 000003
【図２】
0003130133.tif 000004
【図３】
0003130133.tif 000005